(57)【特許請求の範囲】
【請求項１】
バーナー部を上部に備え、グリル部をガステーブル本体に前後方向に出し入れ可能に内蔵するとともに、ガステーブル本体の上端部に配設されるトッププレートにおいて、バーナー部に五徳が装着され、その後方にグリル部排気口が形成されたガステーブルであり、グリル部排気口の上方における五徳とほぼ同じ高さ若しくはそれ以上の高さにガード部を備え、ガード部は、ガステーブルが設置されるキッチンキャビネットの上面部を形成するカウンターの後端に立設されるバックガードにおいて、グリル部排気口に対応する位置に装着される断面Ｌ字形のカバー体と、このカバー体の垂下部より前方に突設され、所定高さにおいてグリル部排気口の横幅方向にのびるように配置されるコ字形のフレーム体とからなることを特徴とするガステーブル。
【発明の詳細な説明】
【０００１】
【発明の属する技術分野】
この出願の発明は、ガステーブルに関するものである。さらに詳しくは、この出願の発明は、グリル部排気口が鍋、フライパンなどの調理器具により塞がれることのないガステーブルに関するものである。
【０００２】
【従来の技術】
住宅などのキッチンに設置される調理機器にはガステーブルが広く用いられている。
【０００３】
このガステーブルの一つとして、バーナー部を上部に備え、グリル部をガステーブル本体に前後方向に出し入れ可能に内蔵するとともに、ガステーブル本体の上端部に配設されるトッププレートにおいて、バーナー部に五徳が装着され、その後方にグリル部排気口が形成されたガステーブルが知られている。
【０００４】
【発明が解決しようとする課題】
しかしながら、前記ガステーブルでは、鍋、フライパンなどの調理器具が五徳をはみ出して置かれることがしばしばあり、それら調理器具が五徳後方のグリル部排気口を塞ぐように置かれた状態においてグリル部が使用されると、排気不充分となり、トッププレート、そして、このトッププレートの四周フランジ部が載置されるキッチンキャビネット上面部のカウンターが異常に温度上昇する。近年、カウンターは、いわゆる人工大理石、若しくはこの範疇に属さなくとも樹脂製のものが主流となりつつあり、このような樹脂製カウンターでは、上記の異常な温度上昇により割れ、変形などが発生しやすかった。
【０００５】
この出願の発明は、以上の通りの事情に鑑みてなされたものであり、グリル部排気口が鍋、フライパンなどの調理器具により塞がれることのないガステーブルを提供することを目的としている。
【０００６】
【課題を解決するための手段】
この出願の発明は、上記の課題を解決するものとして、バーナー部を上部に備え、グリル部をガステーブル本体に前後方向に出し入れ可能に内蔵するとともに、ガステーブル本体の上端部に配設されるトッププレートにおいて、バーナー部に五徳が装着され、その後方にグリル部排気口が形成されたガステーブルであり、グリル部排気口の上方における五徳とほぼ同じ高さ若しくはそれ以上の高さにガード部を備え、ガード部は、ガステーブルが設置されるキッチンキャビネットの上面部を形成するカウンターの後端に立設されるバックガードにおいて、グリル部排気口に対応する位置に装着される断面Ｌ字形のカバー体と、このカバー体の垂下部より前方に突設され、所定高さにおいてグリル部排気口の横幅方向にのびるように配置されるコ字形のフレーム体とからなることを特徴とするガステーブル（請求項１）を提供する。
【０００７】
以下、図面に沿ってこの出願の発明のガステーブルについてさらに詳しく説明する。
【０００８】
【発明の実施の形態】
図１＜ａ＞＜ｂ＞は、それぞれ、この出願の発明のガステーブルの一実施形態をキッチンキャビネットへの設置状態を含めて示した平面図、断面図である。
【０００９】
この図１＜ａ＞＜ｂ＞に示したように、この出願の発明のガステーブルは、前述のガステーブルの構成を踏襲している。
【００１０】
すなわち、バーナー部（１）を上部に備え、グリル部（２）をガステーブル本体（３）に前後方向に出し入れ可能に内蔵するとともに、ガステーブル本体（３）の上端部に配設されるトッププレート（４）において、バーナー部（１）に五徳（５）が装着され、その後方にグリル部排気口（６）が形成されている。
【００１１】
このような構成を前提として、この出願の発明のガステーブルは、グリル部排気口（６）の上方における五徳（５）とほぼ同じ高さ若しくはそれ以上の高さに、ガード部（７）を備えている。ここで五徳（５）とほぼ同じ高さとは、五徳（５）よりやや低い高さからやや高い高さまでを包含し、この中には当然五徳（５）と同一高さが含まれる。
【００１２】
ガード部（７）は、図１＜ａ＞＜ｂ＞及び図２に示したように、断面Ｌ字形のカバー体（９）と、このカバー体（９）の垂下部（９ａ）より前方に突設され、カバー体（９）の横幅方向にのびるコ字形のフレーム体（１０）とから構成される。
【００１３】
この図１＜ａ＞＜ｂ＞及び図２に示したガード部（７）では、カバー体（９）は、図１＜ａ＞＜ｂ＞に示したように、ガステーブルが設置されるキッチンキャビネット（１１）の上面部を形成するカウンター（１２）の後端に立設されるバックガード（１３）において、グリル部排気口（６）に対応する位置に装着される。具体的には、カバー体（９）の水平部（９ｂ）がバックガード（１３）の上端に載置され、垂下部（９ａ）がバックガード（１３）の立面部に当接配置される。このようなカバー体（９）のバックガード（１３）への装着により、フレーム体（１０）は、所定高さにおいてガステーブルのグリル部排気口（６）の横幅方向にのびるように配置される。好ましくは、フレーム体（１０）は、図１＜ａ＞に示したように、グリル部排気口（６）の横幅目一杯に配置されるようにする。
【００１４】
このようなガード部（７）を、グリル部排気口（６）の上方における五徳（５）とほぼ同じ高さ若しくはそれ以上の高さに備えるこの出願の発明のガステーブルでは、ガード部（７）により、たとえ鍋、フライパンなどの調理器具が五徳（５）の後端部からグリル部排気口（６）側にはみ出して置かれても、それら調理器具の底部をガード部（７）が支持し、グリル部排気口（６）が部分的にも塞がれることはない。また、ガード部（７）が、五徳（５）よりも高い位置に配置される場合には、調理器具が五徳（５）の後端部からグリル部排気口（６）側にはみ出すことすらない。ガード部（７）によってそのようなはみ出しは阻止されるからである。
【００１５】
このため、グリル部（２）を使用しても十分に排気可能となり、グリル部排気口（６）が塞がれる時のような異常な温度上昇は生じない。したがって、トッププレート（４）の四周フランジ部（４ａ）が載置されるキッチンキャビネット（１１）の上面部を形成するカウンター（１２）は、人工大理石、若しくはこの範疇に属さない樹脂製のものであっても、割れ、変形などは発生しない。
【００１６】
もちろん、この出願の発明は、以上の実施形態によって限定されるものではない。バーナー部をはじめ、グリル部、ガステーブル本体、さらにグリル部排気口などについては様々な態様が可能であることはいうまでもない。
【００１７】
【発明の効果】
以上詳しく説明した通り、この出願の発明によって、グリル部排気口が鍋、フライパンなどの調理器具により塞がれることのないガステーブルが提供される。
【図面の簡単な説明】
【図１】  ＜ａ＞＜ｂ＞は、それぞれ、この出願の発明のガステーブルの一実施形態をキッチンキャビネットへの設置状態を含めて示した平面図、断面図である。
【図２】  図２に示したガード部の斜視図である。
【符号の説明】
１    バーナー部
２    グリル部
３    ガステーブル本体
４    トッププレート
４ａ    四周フランジ部
５    五徳
５ａ    一部
６    グリル部排気口
７    ガード部
９    カバー体
９ａ    垂下部
９ｂ    水平部
１０    フレーム体
１１    キッチンキャビネット
１２    カウンター
１３    バックガード
【図１】
0003770089.tif 000002
【図２】
0003770089.tif 000003